【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】
結着樹脂と着色剤と離型剤とを少なくとも含有するトナー粒子と、無機微粒子を含有するトナーであって、
前記無機微粒子として、短軸径が３０〜６０ｎｍであり、長軸径が５０〜１５０ｎｍであり、アスペクト比が１．２〜４．０である無機微粒子を少なくとも含み、
前記トナーの円相当径３μｍ以上の平均円形度が０．９１５〜０．９６０であり、
４５体積％のメタノール水溶液中での前記トナーの透過率が１０〜７０％であることを特徴とするトナー。
【請求項２】
前記無機微粒子として、個数平均径が５〜５０ｎｍの、疎水化シリカ、アルミナ及び酸化チタンから選ばれる無機微粒子（Ｂ）を更に含有することを特徴とする請求項１に記載のトナー。
【請求項３】
前記結着樹脂が、（ａ）ポリエステル樹脂、（ｂ）ポリエステルユニットとビニル系重合体ユニットとを有するハイブリッド樹脂、（ｃ）前記ハイブリッド樹脂とビニル系重合体との混合物、（ｄ）前記ハイブリッド樹脂とポリエステル樹脂との混合物、（ｅ）ポリエステル樹脂とビニル系重合体との混合物、又は（ｆ）ポリエステル樹脂とハイブリット樹脂及ビニル系重合体との混合物のいずれかから選択される樹脂を含有することを特徴とする請求項１又は２に記載のトナー。
【手続補正２】
【補正対象書類名】明細書
【補正対象項目名】００６０
【補正方法】変更
【補正の内容】
【００６０】
本発明におけるビニル系重合体ユニット又はビニル系重合体を生成するためのビニル系モノマーとしては、次のようなものが挙げられる。スチレン；ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｎ−ブチルスチレン、ｐ−ｔｅｒｔ
−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−クロルスチレン、３，４−ジクロルスチレン、ｍ−ニトロスチレン、ｏ−ニトロスチレン、ｐ−ニトロスチレンなどのスチレン誘導体；エチレン、プロピレン、ブチレン、イソブチレンなどの不飽和モノオレフィン類；ブタジエン、イソプレンなどの不飽和ポリエン類；塩化ビニル、塩化ビニリデン、臭化ビニル、フッ化ビニルなどのハロゲン化ビニル類；酢酸ビニル、プロピオン酸ビニル、ベンゾエ酸ビニルなどのビニルエステル類；メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸フェニル、メタクリル酸ジメチルアミノエチル、メタクリル酸ジエチルアミノエチルなどのα−メチレン脂肪族モノカルボン酸エステル類；アクリル酸メチル、アクリル酸エチル、アクリル酸プロピル、アクリル酸ｎ−ブチル、アクリル酸イソブチル、アクリル酸ｎ−オクチル、アクリル酸ドデシル、アクリル酸２−エチルヘキシル、アクリル酸ステアリル、アクリル酸２−クロルエチル、アクリル酸フェニルなどのアクリル酸エステル類；ビニルメチルエーテル、ビニルエチルエーテル、ビニルイソブチルエーテルなどのビニルエーテル類；ビニルメチルケトン、ビニルヘキシルケトン、メチルイソプロペニルケトンなどのビニルケトン類；Ｎ−ビニルピロール、Ｎ−ビニルカルバゾール、Ｎ−ビニルインドール、Ｎ−ビニルピロリドンなどのＮ−ビニル化合物；ビニルナフタリン類；アクリロニトリル、メタクリロニトリル、アクリルアミドなどのアクリル酸もしくはメタクリル酸誘導体等が挙げられる。
【手続補正３】
【補正対象書類名】明細書
【補正対象項目名】０１３６
【補正方法】変更
【補正の内容】
【０１３６】
実施例において使用した無機微粒子（Ａ）を表２に、無機微粒子（Ｂ）を表３にそれぞれ示す。上記シアン系樹脂粒子１００質量部に対して表２に示すＴｉＯ２（１）を１．０質量部外添し、シアントナー１とした。さらに、シアントナー１と、シリコーン樹脂で表面被覆した磁性フェライトキャリア粒子（平均粒径５０μｍ）とを、トナー濃度が７質量％になるように混合し、これを二成分系シアン現像剤１とした。
【手続補正４】
【補正対象書類名】明細書
【補正対象項目名】０１３７
【補正方法】変更
【補正の内容】
【０１３７】
【表２】
2004271850.tif 000001
【手続補正５】
【補正対象書類名】明細書
【補正対象項目名】０１３８
【補正方法】変更
【補正の内容】
【０１３８】
【表３】
2004271850.tif 000002
【手続補正６】
【補正対象書類名】明細書
【補正対象項目名】０１４９
【補正方法】変更
【補正の内容】
【０１４９】
〈実施例２〉
実施例１において、結着樹脂としてポリエステル樹脂を使用し、無機微粒子（Ａ）としてＴｉＯ２（２）１．０質量部を、無機微粒子（Ｂ）としてＳｉＯ２（１）０．８質量部を使用した以外は上記実施例１とほぼ同様にしてシアントナー２を作製し、実施例１と同様にキャリアを混合することによりシアン現像剤２を得た。実施例１と同様に各種の評価を行ったところ、表４及び表５に示すように実施例１と同等の良好な結果を得た。
【手続補正７】
【補正対象書類名】明細書
【補正対象項目名】０１５０
【補正方法】変更
【補正の内容】
【０１５０】
〈実施例３〉
実施例１において、無機微粒子（Ａ）としてＴｉＯ２（２）１．０質量部を、無機微粒子（Ｂ）としてＴｉＯ２（８）０．８質量部を使用し、着色剤としてＣ．Ｉ．ピグメントブルー１５：３の代わりにＣ．Ｉ．ピグメントレッド１２２を使用した以外は、上記実施例１とほぼ同様にしてマゼンタトナー１を作製し、実施例１と同様にキャリアを混合することによりマゼンタ現像剤１を得た。実施例１と同様に各種の評価を行ったところ、表４及び表５に示すように実施例１と同等の良好な結果を得た。
【手続補正８】
【補正対象書類名】明細書
【補正対象項目名】０１５１
【補正方法】変更
【補正の内容】
【０１５１】
〈実施例４〉
実施例１において、無機微粒子（Ａ）としてＴｉＯ２（２）１．０質量部を、無機微粒子（Ｂ）としてＡｌ２Ｏ３（１）０．８質量部を使用し、着色剤としてＣ．Ｉ．ピグメントブルー１５：３の代わりにＣ．Ｉ．ピグメントイエロー７４を使用した以外は、上記実施例１とほぼ同様にしてイエロートナー１を作製し、実施例１と同様にキャリアを混合することによりイエロー現像剤１を得た。実施例１と同様に各種の評価を行ったところ、表４及び表５に示すように実施例１と同等の良好な結果を得た。
【手続補正９】
【補正対象書類名】明細書
【補正対象項目名】０１５２
【補正方法】変更
【補正の内容】
【０１５２】
〈実施例５〉
実施例１において、無機微粒子（Ａ）としてＴｉＯ２（２）１．０質量部を、無機微粒子（Ｂ）としてＳｉＯ２（２）０．８質量部を使用し、着色剤としてＣ．Ｉ．ピグメントブルー１５：３の代わりにカーボンブラックを使用した以外は、上記実施例１とほぼ同様にしてブラックトナー１を作製し、実施例１と同様にキャリアを混合することによりブラック現像剤１を得た。実施例１と同様に各種の評価を行ったところ、表４及び表５に示すように実施例１と同等の良好な結果を得た。
【手続補正１０】
【補正対象書類名】明細書
【補正対象項目名】０１５３
【補正方法】変更
【補正の内容】
【０１５３】
〈実施例６〉
実施例１において結着樹脂としてポリエステル樹脂とハイブリッド樹脂のブレンド品（ブレンド比＝５０部／５０部）を使用し、無機微粒子（Ａ）としてＴｉＯ２（３）を使用した以外は上記実施例１とほぼ同様にしてシアントナー３を作製し、実施例１と同様にキ
ャリアを混合することによりシアン現像剤３を得た。実施例１と同様に各種の評価を行ったところ、表４及び表５に示すように転写効率が若干劣るものの実用レベルであった。
【手続補正１１】
【補正対象書類名】明細書
【補正対象項目名】０１５４
【補正方法】変更
【補正の内容】
【０１５４】
〈実施例７〉
実施例１において結着樹脂にポリエステル樹脂を使用し、無機微粒子（Ａ）としてＴｉＯ２（４）を使用した以外は上記実施例１とほぼ同様にしてシアントナー４を作製し、実施例１と同様にキャリアを混合することによりシアン現像剤４を得た。実施例１と同様に各種の評価を行ったところ、表４及び表５に示すように帯電安定性、転写効率が若干劣るものの実用レベルであった。
【手続補正１２】
【補正対象書類名】明細書
【補正対象項目名】０１５５
【補正方法】変更
【補正の内容】
【０１５５】
〈実施例８〉
実施例１において結着樹脂にポリエステル樹脂を使用し、無機微粒子（Ａ）としてＴｉＯ２（５）を使用した以外は上記実施例１とほぼ同様にしてシアントナー５を作製し、実施例１と同様にキャリアを混合することによりシアン現像剤５を得た。実施例１と同様に各種の評価を行ったところ、表４及び表５に示すように帯電安定性、転写効率が若干劣るものの実用レベルであった。
【手続補正１３】
【補正対象書類名】明細書
【補正対象項目名】０１５６
【補正方法】変更
【補正の内容】
【０１５６】
〈実施例９〉
実施例１において、結着樹脂としてポリエステル樹脂とスチレン−アクリル樹脂のブレンド品（ブレンド比＝５０部／５０部）を使用し、無機微粒子（Ａ）としてＴｉＯ２（４）を使用した以外は上記実施例１とほぼ同様にしてシアントナー６を作製し、実施例１と同様にキャリアを混合することによりシアン現像剤６を得た。実施例１と同様に各種の評価を行ったところ、表４及び表５に示すように、帯電安定性、転写効率、及び定着能が劣るものの実用レベルであった。
【手続補正１４】
【補正対象書類名】明細書
【補正対象項目名】０１５７
【補正方法】変更
【補正の内容】
【０１５７】
〈実施例１０〉
実施例１において、結着樹脂としてハイブリッド樹脂とスチレン−アクリル樹脂のブレンド品（ブレンド比＝５０部／５０部）を使用し、無機微粒子（Ａ）としてＴｉＯ２（５）を使用した以外は上記実施例１とほぼ同様にしてシアントナー７を作製し、実施例１と同様にキャリアを混合することによりシアン現像剤７を得た。実施例１と同様に各種の評価を行ったところ、表４及び表５に示すように帯電安定性、転写効率、及び定着能が劣るものの実用レベルであった。
【手続補正１５】
【補正対象書類名】明細書
【補正対象項目名】０１５８
【補正方法】変更
【補正の内容】
【０１５８】
〈比較例１〉
実施例１において結着樹脂にハイブリッド樹脂とスチレン−アクリル樹脂のブレンド品（ブレンド比＝５０部／５０部）を使用し、無機微粒子（Ａ）としてＴｉＯ２（６）を使用した以外は上記実施例１とほぼ同様にしてシアントナー８を作製し、実施例１と同様にキャリアを混合することによりシアン現像剤８を得た。実施例１と同様に各種の評価を行ったところ、ＴｉＯ２（６）はトナー粒子への付着が十分でなく、特に帯電安定性において実用レベルではなかった。評価結果を表４及び表５に示す。
【手続補正１６】
【補正対象書類名】明細書
【補正対象項目名】０１５９
【補正方法】変更
【補正の内容】
【０１５９】
〈比較例２〉
実施例１において結着樹脂にハイブリッド樹脂とスチレン−アクリル樹脂のブレンド品（ブレンド比＝５０部／５０部）を使用し、無機微粒子（Ａ）としてＴｉＯ２（７）を使用した以外は上記実施例１とほぼ同様にしてシアントナー９を作製し、実施例１と同様にキャリアを混合することによりシアン現像剤９を得た。実施例１と同様に各種の評価を行ったところ、ＴｉＯ２（７）は細か過ぎて、耐刷試験を進めるにつれトナー粒子中に埋め込まれたため、無機微粒子としての機能を発揮できず帯電安定性、転写性共に実用レベルではなかった。評価結果を表４及び表５に示す。
【手続補正１７】
【補正対象書類名】明細書
【補正対象項目名】０１６０
【補正方法】変更
【補正の内容】
【０１６０】
【表４】
2004271850.tif 000003